(57)【要約】【課題】サブパネルに表示される画像の上下方向を，サブパネルと反対方向の面に画像を表示するメインパネルの画像の上下方向と反対にするための制御及び構成を簡素化する。【解決手段】  ディスプレイパネルの一方の面に画像を表示するメインパネル８２０と，他方の面に画像を表示するサブパネル８４０とを備えた発光表示装置のディスプレイパネル駆動ドライバであって；メインパネルの複数の走査線にそれぞれ画素選択信号を上記走査線の並び順の一方向に順に印加するメイン走査駆動部８１０と，サブパネルの複数の走査線にそれぞれ画素選択信号を上記一方向の逆方向に順に印加するサブ走査駆動部８３０と，メイン走査駆動部及びサブ走査駆動部の走査方向を各々制御する駆動制御部とを含むように構成した。【選択図】    図５
2006058898.tif 000002
【特許請求の範囲】
【請求項１】
ディスプレイパネルの一方の面に画像を表示するメインパネルと，他方の面に画像を表示するサブパネルとを備えた発光表示装置のディスプレイパネル駆動ドライバであって，
前記メインパネルの複数の走査線に，それぞれ画素選択信号を前記走査線の並び順の一方向に順に印加するメイン走査駆動部と，
前記サブパネルの複数の走査線に，それぞれ画素選択信号を前記一方向の逆方向に順に印加するサブ走査駆動部と，
前記メイン走査駆動部及び前記サブ走査駆動部の走査方向を各々制御する駆動制御部と，
を含むことを特徴とする発光表示装置のディスプレイパネル駆動ドライバ。
【請求項２】
前記メイン走査駆動部が前記走査線に前記選択信号を印加して走査する方向は，前記メインパネルの上端部から下端部の方向に走査する方向であることを特徴とする請求項１に記載の発光表示装置のディスプレイパネル駆動ドライバ。
【請求項３】
前記サブ走査駆動部が前記走査線に前記選択信号を印加して走査する方向は，前記サブパネルの下端部から上端部の方向に走査する方向であることを特徴とする請求項１に記載の発光表示装置のディスプレイパネル駆動ドライバ。
【請求項４】
前記駆動制御部は，一つのドライバ集積回路内に設けられることを特徴とする請求項１に記載の発光表示装置のディスプレイパネル駆動ドライバ。
【請求項５】
複数の画素回路によってディスプレイパネルの一方の面に画像を表示するメインパネルと，
前記メインパネルが画像を表示する前記一方の面とは反対側の面に複数の画素回路によって画像を表示するサブパネルと，
前記メインパネルの複数の走査線に，それぞれ画素選択信号を前記走査線の並び順の一方向に順に印加するメイン走査駆動部と，
前記サブパネルの複数の走査線に，それぞれ画素選択信号を前記一方向の逆方向に順に印加するサブ走査駆動部と，
画像信号に対応するデータ電圧を，前記メインパネル及び前記サブパネルの選択された前記画素回路に印加するデータ駆動部と，
前記メイン走査駆動部及び前記サブ走査駆動部の走査方向を各々制御する駆動制御部と，
を含むことを特徴とする発光表示装置。
【請求項６】
前記メインパネル及び前記サブパネルは，前記画像信号に対応する前記データ電圧を印加するデータ線を共通に使用することを特徴とする請求項５に記載の発光表示装置。
【請求項７】
前記メイン走査駆動部が前記走査線に前記選択信号を印加して走査する方向は，前記メインパネルの上端部から下端部の方向に走査する方向であることを特徴とする請求項５に記載の発光表示装置。
【請求項８】
前記サブ走査駆動部が前記走査線に前記選択信号を印加して走査する方向は，前記サブパネルの下端部から上端部の方向に走査する方向であることを特徴とする請求項５に記載の発光表示装置。
【請求項９】
ディスプレイパネルの一方の面に画像を表示するメインパネルと，他方の面に画像を表示するサブパネルとを備えた発光表示装置のディスプレイパネルの駆動方法であって，
複数の走査線にそれぞれ画素選択信号を印加して走査するメイン走査駆動部及びサブ走査駆動部が，前記複数の走査線を走査する順番が互いに反対となるように前記メイン走査駆動部及び前記サブ走査駆動部の走査方向をそれぞれ設定する段階と，
前記メインパネルの複数の走査線にそれぞれ画素選択信号を前記設定されたメイン走査駆動部の走査方向の順に印加して画素回路を選択する段階と，
前記サブパネルの複数の走査線にそれぞれ画素選択信号を前記設定されたサブ走査駆動部の走査方向の順に印加して画素回路を選択する段階と，
画像信号に対応する複数のデータ電圧を，前記メインパネル及び前記サブパネルの選択された画素回路に順に印加して前記メインパネル及び前記サブパネルに画像を表示させる段階と，
を含むことを特徴とする発光表示装置のディスプレイパネルの駆動方法。
【請求項１０】
前記メイン走査駆動部が前記走査線に前記選択信号を印加して走査する方向は，前記メインパネルの上端部から下端部の方向に走査する方向であることを特徴とする請求項９に記載の発光表示装置のディスプレイパネルの駆動方法。
【請求項１１】
前記サブ走査駆動部が前記走査線に前記選択信号を印加して走査する方向は，前記サブパネルの下端部から上端部の方向に走査する方向であることを特徴とする請求項９に記載の発光表示装置のディスプレイパネルの駆動方法。
【発明の詳細な説明】
【技術分野】
【０００１】
本発明は，発光表示装置のディスプレイパネル駆動ドライバ及び発光表示装置並びに発光表示装置のディスプレイパネルの駆動方法に関する。
【背景技術】
【０００２】
ＯＬＥＤ（Ｏｒｇａｎｉｃ  Ｌｉｇｈｔ  Ｅｍｉｔｔｉｎｇ  Ｄｉｏｄｅ）表示装置は，電流が流れると光を発する性質をもった有機物質を発光体として使用した表示装置である。上記有機物質からなる発光体は，画素別に分離してＯＬＥＤ表示装置の表示領域にマトリックス状に配置される。このように，個々の画素に対応するように相互に独立してマトリックス状に配列された有機物質に電流または電圧を印加することにより，ＯＬＥＤ表示装置に画像を表示することができる。このとき，例えば，流す電流量を調節することによって発光を制御することができる。このようなＯＬＥＤ表示装置は，低電圧駆動でも高い輝度が得られ，軽量薄形であり，広視野角を有し視認性に優れ，応答速度が速いなどの長所を有し，次世代の表示装置として期待を浴びている。
【０００３】
先ず，ＯＬＥＤの一般的な発光原理について説明する。図１は，ＯＬＥＤの発光原理を示す図である。
【０００４】
一般的に，ＯＬＥＤ表示装置は，蛍光性有機化合物を電気的に励起させることにより光を発光する表示装置であって，Ｎ×Ｍ本の有機発光セルを電圧駆動あるいは電流駆動して画像表示を行うことができる。
【０００５】
上記のようなＯＬＥＤ表示装置の有機発光セルは，有機物からなる有機薄膜（有機層）を陽極と陰極とで挟んだ構造を有し，それぞれの電極から正孔（＋）と電子（−）を注入して有機薄膜を励起させることにより光を発することができる。具体的には，図１に示されているように，ＩＴＯ（インジウムスズ酸化物）画素電極と金属レイヤーの間に有機薄膜が挟まれた構造を有することができる。
【０００６】
上記有機薄膜は，一層または複数層からなることができるが，電子と正孔の均衡を取って発光効率を向上させるには，多層構造を有するのがよい。例えば３層構造の有機薄膜としては，発光層（ＥＭｉｔｔｉｎｇ  Ｌａｙｅｒ：ＥＭＬ），電子輸送層（Ｅｌｅｃｔｒｏｎ  Ｔｒａｎｓｐｏｒｔ  Ｌａｙｅｒ：ＥＴＬ），及び正孔輸送層（Ｈｏｌｅ  Ｔｒａｎｓｐｏｒｔ  Ｌａｙｅｒ：ＨＴＬ）を含んだものがある。また，図１に示すように，更に電子注入層（Ｅｌｅｃｔｒｏｎ  Ｉｎｊｅｃｔｉｎｇ  Ｌａｙｅｒ：ＥＩＬ）及び正孔注入層（Ｈｏｌｅ  Ｉｎｊｅｃｔｉｎｇ  Ｌａｙｅｒ：ＨＩＬ）を含んで５層構造とすることもできる。
【０００７】
上記のように構成される有機発光セルを駆動する方式には，単純マトリックス（ｐａｓｓｉｖｅ  ｍａｔｒｉｘ）方式と，アクティブマトリックス（ａｃｔｉｖｅ  ｍａｔｒｉｘ：能動駆動）方式がある。単純マトリックス方式は，陽極（正極）と陰極（負極）とを相互に直交するように配置させて，ライン（走査線）を一本ずつ選択して駆動させることにより画素を発光させることができる。
【０００８】
これに対し，アクティブマトリックス方式は，画素ごとに薄膜トランジスタ（Ｔｈｉｎ  Ｆｉｌｍ  Ｔｒａｎｓｉｓｔｏｒ：ＴＦＴ）を設けて，発光させる画素を選択して駆動させることができる。より具体的には，ＴＦＴとキャパシタを各画素の電極にそれぞれ接続させて，キャパシタ容量に応じて各画素の電圧を維持する駆動方式である。
【０００９】
上記のようなＯＬＥＤ表示装置は，例えば携帯電話機などに利用することができる。最近の携帯電話機としては，折りたたみが可能なフォルダー形態の製品が多く市販されている。かかるフォルダー形態の携帯電話機には，例えばキー入力部などが設けられた携帯電話機の本体に対して携帯電話機の折りたたみ部が開閉可能に設けられることができる。そして，上記折りたたみ部にはＯＬＥＤを採用した表示パネルが設けられて，上記折りたたみ部の内側の面と外側の面に，それぞれ異なる大きさを有する表示パネルを採用した製品が生産されている。このようなＯＬＥＤ表示装置においては，内側の表示パネルの画像表示領域は，外側の表示パネルの画像表示領域よりも大きく形成されるのが一般的である。すなわち，携帯電話機を折りたたんだ際に内側に位置する表示パネルの方が，携帯電話機の外側に位置する表示パネルよりも大きく形成されるのが一般的である。このとき，携帯電話機の内側に位置する表示パネルがメインパネルとなり，携帯電話機の外側に位置する表示パネルがサブパネルと称されるのが一般的である。
【発明の開示】
【発明が解決しようとする課題】
【００１０】
しかし，上記のような発光表示装置は，メインパネルとサブパネルとがそれぞれ独立したパネルとして背中合わせに配置されて設けられて，その制御もそれぞれ独立して行われていた。すなわち，上記のような表面と裏面とで表示パネルの大きさが異なるＯＬＥＤ表示装置の構成は，表示パネルの大きさが二種類であるために各パネルをそれぞれ別々に制御しなければならないとういう問題があった。更に，パネル一つを製造する場合と比較すると両パネルを製造するために必要な部品の数が２倍になるので，製品単価が増加するという問題点があった。
【００１１】
また，携帯電話用ＯＬＥＤディスプレイパネルとしてメインパネルとサブパネルを同時に実現する場合，メインパネルとサブパネルの発光方向が反対であるために，上記のような折りたたみ式の携帯電話機ではメインパネルとサブパネルに表示されるデータの上下が反転されてしまう。すなわち，メインパネルとサブパネルに同時に画像を表示させた場合，携帯電話機を折りたたむと，サブパネルに表示される画像はユーザーにとって上下が反転された状態になる。このように上下が反転される場合，一般的には，サブパネル側の画像データをサブパネルのドライバ集積回路で再び反転させなければならないという問題点があった。例えば，サブパネル側の画像データの配列をフレーム単位で予め変換させておくなどの処理を行うが，このような制御方法はドライバ集積回路の構成や設計を複雑にしていた。
【００１２】
そこで，本発明は，このような問題に鑑みてなされたもので，その目的とするところは，両側にＯＬＥＤディスプレイパネルを使用する場合，ディスプレイ出力データの上下反転なしで正常な画面を表示することができる発光表示装置のディスプレイパネル駆動ドライバ及び発光表示装置並びに発光表示装置のディスプレイパネルの駆動方法を提供することにある。
【００１３】
また，上記問題点を解決するための本発明の他の目的は，メインパネルとサブパネルのディスプレイ出力データに対し，ドライバ集積回路内で上下反転させずに，一つのドライバ集積回路のみを使用する発光表示装置のディスプレイパネル駆動ドライバ及び発光表示装置並びに発光表示装置のディスプレイパネルの駆動方法を提供することにある。すなわち，背中合わせに配されたメインパネルとサブパネルとのドライバ集積回路を共有化しつつ，ユーザが表示装置の向きを変えずにメインパネル及びサブパネルの画像を視認できるようにした発光表示装置のディスプレイパネル駆動ドライバ及び発光表示装置並びに発光表示装置のディスプレイパネルの駆動方法を提供することを目的とする。
【課題を解決するための手段】
【００１４】
上記課題を解決するために，本発明のある観点によれば，ディスプレイパネルの一方の面（前面）に画像を表示するメインパネルと，他方の面（背面）に画像を表示するサブパネルとを備えた発光表示装置のディスプレイパネル駆動ドライバであって；上記メインパネルの複数の走査線に，それぞれ画素選択信号を上記走査線の並び順の一方向に順に印加するメイン走査駆動部と；上記サブパネルの複数の走査線に，それぞれ画素選択信号を上記一方向の逆方向に順に印加するサブ走査駆動部と；上記メイン走査駆動部及び上記サブ走査駆動部の走査方向を各々制御する駆動制御部と；を含むことを特徴とする発光表示装置のディスプレイパネル駆動ドライバが提供される。
【００１５】
このような本発明にかかる発光表示装置のディスプレイパネル駆動ドライバによれば，上記メインパネルの複数の走査線を走査する順番と，上記サブパネルの複数の走査線を走査する順番とが反対になるので，上記メインパネルと上記サブパネルに表示される画像の向きを相互に反対にすることができる。
【００１６】
このとき，上記メイン走査駆動部が上記走査線に上記選択信号を印加して走査する方向は，上記メインパネルの上端部から下端部の方向に走査する方向であるのがよい。そして，上記サブ走査駆動部が上記走査線に上記選択信号を印加して走査する方向は，上記サブパネルの下端部から上端部の方向に走査する方向であるのがよい。
【００１７】
また，上記駆動制御部は，一つのドライバ集積回路内に設けられるように構成するのがよい。
【００１８】
上記課題を解決するために，本発明の別の観点によれば，複数の画素回路によってディスプレイパネルの一方の面（前面）に画像を表示するメインパネルと；上記メインパネルが画像を表示する上記一方の面とは反対側の面（背面）に複数の画素回路によって画像を表示するサブパネルと；上記メインパネルの複数の走査線に，それぞれ画素選択信号を上記走査線の並び順の一方向に順に印加するメイン走査駆動部と；上記サブパネルの複数の走査線に，それぞれ画素選択信号を上記一方向の逆方向に順に印加するサブ走査駆動部と；画像信号に対応するデータ電圧を，上記メインパネル及び上記サブパネルの選択された上記画素回路に印加するデータ駆動部と；上記メイン走査駆動部及び上記サブ走査駆動部の走査方向を各々制御する駆動制御部と；を含むことを特徴とする発光表示装置が提供される。
【００１９】
このような本発明にかかる発光表示装置によれば，上記メインパネルの複数の走査線を走査する順番と，上記サブパネルの複数の走査線を走査する順番とが反対になるので，上記メインパネルと上記サブパネルに表示される画像の向きを相互に反対にすることができる。
【００２０】
このとき，上記メインパネル及び上記サブパネルは，上記画像信号に対応する上記データ電圧を印加するデータ線を共通に使用するように構成されるのがよい。
【００２１】
そして，上記メイン走査駆動部が上記走査線に上記選択信号を印加して走査する方向は，上記メインパネルの上端部から下端部の方向に走査する方向であるのがよい。また，上記サブ走査駆動部が上記走査線に上記選択信号を印加して走査する方向は，上記サブパネルの下端部から上端部の方向に走査する方向であるのがよい。
【００２２】
上記課題を解決するために，本発明の別の観点によれば，ディスプレイパネルの一方の面（前面）に画像を表示するメインパネルと，他方の面（背面）に画像を表示するサブパネルとを備えた発光表示装置のディスプレイパネルの駆動方法であって；複数の走査線にそれぞれ画素選択信号を順に印加して走査するメイン走査駆動部及びサブ走査駆動部の走査方向を互いに反対に設定する段階と；上記メインパネルの複数の走査線にそれぞれ画素選択信号を上記設定された走査方向の順に印加して画素回路を選択する段階と；上記サブパネルの複数の走査線にそれぞれ画素選択信号を上記設定された走査方向の順に印加して画素回路を選択する段階と；画像信号に対応する複数のデータ電圧を，上記メインパネル及び上記サブパネルの選択された画素回路に順に印加して上記メインパネル及び上記サブパネルに画像を表示させる段階と；を含むことを特徴とする発光表示装置のディスプレイパネルの駆動方法を提供することができる。
【００２３】
このような本発明にかかる発光表示装置のディスプレイパネルの駆動方法によれば，上記メインパネルの複数の走査線を走査する順番と，上記サブパネルの複数の走査線を走査する順番とが反対になるので，上記メインパネルと上記サブパネルに表示される画像の向きを相互に反対にすることができる。
【００２４】
このとき，上記メイン走査駆動部が上記走査線に上記選択信号を印加して走査する方向は，上記メインパネルの上端部から下端部の方向に走査する方向であるのがよい，また，上記サブ走査駆動部が上記走査線に上記選択信号を印加して走査する方向は，上記サブパネルの下端部から上端部の方向に走査する方向であるのがよい。
【発明の効果】
【００２５】
本発明によれば，両側にＯＬＥＤディスプレイパネルを使用する場合，メインパネルとサブパネルの走査駆動部の走査方向を反対にすることにより，ディスプレイ出力データの上下反転なしで，サブパネルに表示される画像をメインパネルに表示される画像に対して上下が反転された状態で表示することのできる発光表示装置のディスプレイパネル駆動ドライバ及び発光表示装置並びに発光表示装置のディスプレイパネルの駆動方法を提供できるものである。また，本発明によれば，メインパネルとサブパネルのディスプレイ出力データに対し，ドライバ集積回路内で上下反転させずに一つのドライバ集積回路のみを使用することにより，ドライバ集積回路の設計を容易にすることのできる発光表示装置のディスプレイパネル駆動ドライバ及び発光表示装置並びに発光表示装置のディスプレイパネルの駆動方法を提供できるものである。すなわち，本発明によれば，背中合わせに配されたメインパネルとサブパネルとのドライバ集積回路を共有化しつつ，ユーザが表示装置の向きを変えずにメインパネル及びサブパネルの画像を視認できるようにしたことにより，発光表示装置の部品数を削減して製造コストを抑制することができるものである。また，サブパネルの画像を上下反転させて表示するための制御を，走査駆動部の走査方向を反対にして行うようにしたことにより，ドライバ集積回路の構成を容易にすることができるものである。
【発明を実施するための最良の形態】
【００２６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２７】
先ず，本発明の実施の形態にかかる発光表示装置の構成についてその概略を説明する。図２は，本発明の実施の形態にかかる発光表示装置としてのＯＬＥＤ表示装置の全体の構成を概略的に示すブロック図である。
【００２８】
上記ＯＬＥＤ（Ｏｒｇａｎｉｃ  Ｌｉｇｈｔ  Ｅｍｉｔｔｉｎｇ  Ｄｉｏｄｅ）表示装置は，有機ＥＬ（Ｅｌｅｃｔｒｏ  Ｌｕｍｉｎｅｓｃｅｎｃｅ）表示装置とも呼ばれる。かかるＯＬＥＤ表示装置は，上述したように，電流を印加すると光を発する性質をもった有機物質を発光体として使用する表示装置である。上記有機物質からなる発光体は画素別に分離されてＯＬＥＤ表示装置の画像表示領域にマトリックス状に配置され，これら有機物質に流す電流量を調節することによって発光を制御して画像を表示することができる。
【００２９】
図２を参照すれば，本発明の実施の形態にかかる発光表示装置としてのＯＬＥＤ表示装置は，ビデオ制御部１００，パネル制御部２００，電源供給部３００，走査駆動部４００，データ駆動部５００，及びＯＬＥＤパネル６００を含んで構成される。
【００３０】
上記ＯＬＥＤ表示装置においては，走査駆動部４００及びデータ駆動部５００が，画素選択信号や画像信号などの所定の信号をＯＬＥＤパネル６００の行方向及び列方向にそれぞれ供給することにより画像を表示することができる。上記所定の信号は，アナログインターフェースまたはデジタルインターフェースなどを経て走査駆動部４００及びデータ駆動部５００にそれぞれ供給されることができる。
【００３１】
具体的には，Ｒ，Ｇ，Ｂ信号または同期信号などの所定のアナログ信号が，先ず，ビデオ制御部１００に入力されて，デジタル信号に変換されてからパネル制御部２００に供給される。次に，パネル制御部２００は，上記デジタル信号を制御して，走査駆動部４００及びデータ駆動部５００にそれぞれ順に提供する。そして，ＯＬＥＤパネル６００は，走査駆動部４００及びデータ駆動部５００により提供される信号，及び電源供給部３００から供給される電源によって，ｎ×ｍ個の有機発光セルを電圧駆動または電流駆動して映像を表現する。
【００３２】
次に，本発明の実施の形態にかかる発光表示装置の，画素ごとに薄膜トランジスタ（Ｔｈｉｎ  Ｆｉｌｍ  Ｔｒａｎｓｉｓｔｏｒ：ＴＦＴ）を設けたアクティブマトリックス方式（能動駆動方式）による駆動方式について説明する。図３は，本発明の実施の形態にかかる発光表示装置のアクティブマトリックス方式による駆動方法を説明するためのＯＬＥＤ表示パネルの等価回路を示す図である。
【００３３】
図３には，本発明の実施の形態にかかる発光表示装置としてのＯＬＥＤ表示装置の構成要素のうち，ＯＬＥＤパネル６００，データ駆動部４００，及び走査駆動部５００が示されている。ＯＬＥＤパネル６００は，列方向に延びるｍ本のデータ線（Ｄ１，Ｄ２，…，Ｄｍ）と，行方向に延びるｎ本の走査線（Ｓ１，Ｓ２，…，Ｓｎ）と，ｎ×ｍ個の画素回路を含む。上記ｍ本のデータ線（Ｄ１，Ｄ２，…，Ｄｍ）は，画像信号を示すデータ信号を上記画素回路に伝達することができる。また，ｎ本の走査線（Ｓ１，Ｓ２，…，Ｓｎ）は，画素選択信号を上記画素回路に伝達することができる。ここで，上記画素回路は，相互に隣接する二本のデータ線（Ｄ１，Ｄ２，…，Ｄｍ）と，相互に隣接する二本の走査線（Ｓ１，Ｓ２，…，Ｓｎ）とによって定義される一つの画素領域６１０内に形成されることができる。
【００３４】
走査駆動部４００は，ｎ本の走査線（Ｓ１，Ｓ２，…，Ｓｎ）にそれぞれ画素選択信号を順に印加することができる。また，データ駆動部５００は，ｍ本のデータ線（Ｄ１，Ｄ２，…，Ｄｍ）に画像信号に対応するデータ電圧を印加することができる。
【００３５】
また，走査駆動部４００及び／またはデータ駆動部５００は，ＯＬＥＤパネル６００に電気的に連結されることができる。上記電気的な連結方法としては，走査駆動部４００及び／またはデータ駆動部５００は，ＯＬＥＤパネル６００に電気的に連結されるように接続されたテープキャリアパッケージ（ＴＣＰ）に，チップなどの形態で装着されることにより電気的に連結されることができる。あるいは，ＯＬＥＤパネル６００に電気的に連結されるように接着された可撓性印刷回路（Ｆｌｅｘｉｂｌｅ  Ｐｒｉｎｔｅｄ  Ｃｉｒｃｕｉｔ：ＦＰＣ）またはフィルムなどに，チップなどの形態で装着されることにより電気的に連結されることもできる。
【００３６】
また，走査駆動部４００及び／又はデータ駆動部５００は，ＯＬＥＤパネル６００のガラス基板上に直接装着されることもできる。または，走査駆動部４００及び／又はデータ駆動部５００は，ガラス基板上の，上記走査線，上記データ線，及び上記薄膜トランジスタと同一の層に駆動回路として形成されるされることもできるし，あるいは上記同一の層に直接装着されることもできる。
【００３７】
上記画素回路は，ＯＬＥＤ（有機発光ダイオード）素子（ＯＬＥＤ），２個のトランジスタ（ＳＭ，ＤＭ），及びキャパシタ（Ｃｓｔ）を含んで構成される。
【００３８】
上記２個のトランジスタ（ＳＭ，ＤＭ）は，例えばＰＭＯＳ型トランジスタで形成されることができるが，ＰＭＯＳ型トランジスタに限定されるものではない。ここで，トランジスタ（ＤＭ）は駆動トランジスタであり，トランジスタ（ＳＭ）はスイッチングトランジスタである。
【００３９】
駆動トランジスタ（ＤＭ）のソースは，電源電圧（ＶＤＤ）に連結される。また，駆動トランジスタ（ＤＭ）のゲートとソースとの間にはキャパシタ（Ｃｓｔ）が連結される。
ここで，キャパシタ（Ｃｓｔ）は，駆動トランジスタ（ＤＭ）のゲートとソースとの間の電圧を一定の期間維持することができる。そして，駆動トランジスタ（ＤＭ）は，キャパシタ（Ｃｓｔ）によって維持された上記電圧，すなわちゲートとソースとの間の電圧に対応する電流を出力することができる。このように，駆動トランジスタ（ＤＭ）は，ＯＬＥＤ素子に流れる電流を制御することができる。
【００４０】
一方，スイッチングトランジスタ（ＳＭ）は，対応する走査線（Ｓｎ）からの選択信号に応答して，データ線（Ｄｍ）からのデータ信号を駆動トランジスタ（ＤＭ）に伝達することができる。このとき，上記データ信号は，トランジスタ（ＤＭ）のゲートに印加されることができる。
【００４１】
上記ＯＬＥＤ素子（ＯＬＥＤ）は，カソードが基準電圧（Ｖｓｓ）に連結されており，駆動トランジスタ（ＤＭ）を通じて印加される電流に対応する光を発することができる。ここで，ＯＬＥＤ素子（ＯＬＥＤ）のカソードに連結される電源（Ｖｓｓ）は，電源（ＶＤＤ）より低いレベルの電圧であって，グラウンド電圧（接地電圧）などを用いることができる。
【００４２】
図４Ａは，本実施形態にかかる発光表示装置を備えた携帯用端末機７００の前面側の画像表示領域となるメインパネル７１０の外形を示す斜視図である。また，図４Ｂは，本実施形態にかかる発光表示装置を備えた携帯用端末機７００の背面側の画像表示領域となるサブパネル７６０の外形を示す斜視図である。
【００４３】
図４Ａ及び図４Ｂを参照すれば，本実施形態による発光表示装置を備えた携帯用端末機７００は，メインパネル７１０と，フォルダー７２０と，キーパッド７４０と，キーパッド７４０が装着されたデュアルフォルダー型携帯用端末機本体７３０と，アンテナ７５０と，サブパネル７６０とを含んで構成される。ここで，図４Ａ及び図４Ｂに示すように，フォルダー７２０は，デュアルフォルダー型携帯用端末機本体７３０に対して開閉可能（折りたたみ可能）に設けられる。
【００４４】
図４Ａ及び図４Ｂに図示されたように，携帯用端末機７００の前面のメインパネル７１０及び背面のサブパネル７６０を同時に実現する場合，メインパネル７１０及びサブパネル７６０の走査方向を反対にすれば，表示データに上下反転が発生しなくなる。
【００４５】
すなわち，メインパネル７１０及びサブパネル７６０を同時に実現する場合，メインパネル７１０及びサブパネル７６０は，画像信号に対応するデータ電圧を印加するデータ線（Ｄ１〜Ｄｍ）を共通に使用することができる。そしてこのとき，メインパネル７１０及びサブパネル７６０を同時に実現すると，携帯用端末機７００を折りたたんだ際にサブパネル７６０に表示される表示データは，ユーザにとって上下が反転された状態になってしまう。かかる上下反転が発生しないようにするためには，メインパネル７１０に表示データを表示する際にｎ本の走査線（Ｓ１，Ｓ２，…，Ｓｎ）を走査する順番と，サブパネル７２０に表示データを表示する際にｎ本の走査線（Ｓ１，Ｓ２，…，Ｓｎ）を走査する順番とを，相互に逆になるようにすればよい。
【００４６】
次に，本発明の実施の形態にかかる発光表示装置のディスプレイパネル駆動ドライバについて詳細に説明する。図５は，本実施形態にかかる発光表示装置のディスプレイパネル駆動ドライバの構成を概略的に示す図である。図６は，本実施形態にかかる発光表示装置のディスプレイパネルのメインパネルとサブパネルを示す側面図である。
【００４７】
図５を参照すれば，本実施形態にかかる発光表示装置のディスプレイパネル駆動ドライバは，一方の面（前面）に画像を表示するメインパネル８２０と他方の面（背面）に画像を表示するサブパネル８４０とを備えた発光表示装置のディスプレイパネル８００内に設けられる。
【００４８】
本発明の実施の形態にかかる発光表示装置のディスプレイパネル駆動ドライバは，メイン走査駆動部８１０と，サブ走査駆動部８３０と，駆動制御部とを含むことができる。ここで，駆動制御部は，ドライバ集積回路８５０内に設けられることができる。また，ドライバ集積回路８５０は，走査駆動部４００及びデータ駆動部５００を含むことができる。
【００４９】
メイン走査駆動部８１０は，メインパネル８２０の複数の走査線に，それぞれ選択信号を第１の方向に順に印加することができる。サブ走査駆動部８３０は，サブパネル８４０の複数の走査線に，それぞれ選択信号を上記第１の方向とは逆の方向に順に印加することができる。例えば，図５の矢印で示したように，メイン走査駆動部８１０の走査方向が，メインパネル８２０の上端部から下端部の方向に走査する方向である場合，サブ走査駆動部８３０の走査方向は，サブパネル８４０の下端部から上端部の方向に走査する方向であることができる。
【００５０】
駆動制御部は，メイン走査駆動部８１０及びサブ走査駆動部８３０の走査方向をそれぞれ制御することができる。例えば，駆動制御部は，メイン走査駆動部８１０がメインパネル８２０を走査する方向及び，サブ走査駆動部８３０がサブパネル８４０を走査する方向をそれぞれ決定することができる。そして，メイン走査駆動部８１０及びサブ走査駆動部８３０は，駆動制御部によって決定されたそれぞれの走査方向に応じて各パネルの走査線を走査することができる。
【００５１】
また，メインパネル８２０及びサブパネル８４０は，画像信号に対応するデータ電圧を印加するデータ線を共通に使用することができる。
【００５２】
次に，本発明の実施の形態にかかる発光表示装置のディスプレイパネルの駆動方法について説明する。先ず，メイン走査駆動部８１０及びサブ走査駆動部８３０の走査方向が互いに反対となるようにそれぞれの走査方向を設定する。すなわち，メイン走査駆動部８１０がメインパネル８２０の複数の走査線に順に画素選択信号を印加する方向と，サブ走査駆動部８３０がサブパネル８４０の複数の走査線に順に画素選択信号を印加する方向とが，相互に反対となるように走査方向を設定する。そして，メインパネル８２０の複数の走査線に画素選択信号を上記設定された走査方向の順にそれぞれ印加し，サブパネルの複数の走査線に画素選択信号を上記設定された走査方向の順にそれぞれ印加する。その後，画像信号に対応する複数のデータ電圧を，メインパネル８２０及びサブパネル８４０の選択された画素回路に順に印加して，メインパネル８２０及びサブパネル８４０に画像を表示させる。
【００５３】
上記のような発光表示装置のディスプレイパネルの駆動方法により，図６に示すように，ディスプレイパネル８００のメインパネル８２０では，表示データは正常な方向に発光して表示される。これに対し，サブパネル８４０では，走査方向がメインパネル８２０に対して反対方向であるため，メインパネル８２０で表示された画像とは上下が反転した形態で表示データが表示される。これにより，キー入力部分などが設けられた例えば携帯電話機などの本体に対して，ディスプレイパネル８００が設けられたフォルダーが閉められた状態では，表示データは正常な方向（上下が反転されていない方向）に表示されるようになる。
【００５４】
このように，本発明の実施の形態では，例えば携帯電話機などの一つのＯＬＥＤディスプレイパネルにメインパネルとサブパネルを同時に実現する際に，メインパネルとサブパネルのそれぞれの走査駆動部が走査線を走査する走査方向が相互に反対となるようにすることによって，ディスプレイ出力データの上下反転なしで正常な画面を表示することができる。すなわち，本発明の実施の形態によれば，一方の面（前面）に画像を表示するメインパネルと他方の面（背面）に画像を表示するサブパネルとを備えた一つの発光表示装置のメインパネルとサブパネルに同時に画像を表示する場合に，並んで配置されたメインパネル及びサブパネルの走査線を，メインパネルについては配列の一端から走査し，サブパネルについては配列の他端から走査して，走査方向が相互に反対方向となるようにすることができる。このようにしてメインパネルとサブパネルの走査方向を逆にすることにより，メインパネルの裏側に同時に表示されるサブパネルの画像の上下方向が，メインパネルの画像の上下方向に対して反対となる。すなわち，本発明の実施の形態にかかる発光表示装置を，例えば折りたたみ式の携帯電話機などに用いた場合，携帯電話機を開いた状態でメインパネルに表示される画像と，携帯電話機を折りたたんだ状態でサブパネルに表示される画像とは，どちらもユーザーにとって上下が正しく表示された状態となる。
【００５５】
上記のように，本発明によれば，両側にＯＬＥＤディスプレイパネルを使用する場合，メインパネルとサブパネルの走査駆動部の走査方向を反対にしてディスプレイ出力データの上下反転なしで正常な画面を表示することができる。これにより，従来のように，サブパネルに出力される画像の上下方向を反転させるために，例えばフレーム単位で画像データの配列を予め変換させておくなどの，ディスプレイ出力データの上下反転を行うことなく，パネルに表示される画像の上下方向を所望の方向にすることができる。
【００５６】
また，本発明によれば，メインパネルとサブパネルのディスプレイ出力データに対し，ドライバ集積回路内で上下反転させずに一つのドライバ集積回路のみを使用することによって，ドライバ集積回路の設計が容易になる。
【００５７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５８】
なお，本発明の実施の形態においては，発光表示装置としてＯＬＥＤ表示装置を適用したものについて述べたが，必ずしもこれに限定されるものではなく，例えば液晶表示装置などの他の発光表示装置に本発明を適用することもできる。
【産業上の利用可能性】
【００５９】
本発明は，発光表示装置に適用可能であり，特にＯＬＥＤ表示装置（有機電界発光表示装置）に適用可能である。
【図面の簡単な説明】
【００６０】
【図１】ＯＬＥＤの発光原理を示す図である。
【図２】本発明の実施の形態にかかる発光表示装置の全体の構成を概略的に示すブロック図である。
【図３】同実施の形態による薄膜トランジスタを利用したアクティブマトリックス方式による駆動方法を説明するためのＯＬＥＤ表示パネルの等価回路図である。
【図４Ａ】同実施の形態による発光表示装置を備えた携帯用端末機のメインパネルの外形を示す斜視図である。
【図４Ｂ】同実施の形態による発光表示装置を備えた携帯用端末機のサブパネルの外形を示す斜視図である。
【図５】同実施の形態による発光表示装置のディスプレイパネル駆動ドライバの概略的な構成を示す図である。
【図６】同実施の形態による発光表示装置のディスプレイパネルのメインパネルとサブパネルを示す側面図である。
【符号の説明】
【００６１】
１００      ビデオ制御部
２００      パネル制御部
３００      電源供給部
４００      走査駆動部
５００      データ駆動部
６００      ＯＬＥＤパネル
７００      携帯用端末機
７１０      メインパネル
７２０      フォルダー
７３０      携帯用端末機本体
７４０      キーパッド
７５０      アンテナ
７６０      サブパネル
８００      ディスプレイパネル
８１０      メイン走査駆動部
８２０      メインパネル
８３０      サブ走査駆動部
８４０      サブパネル
８５０      ドライバ集積回路
【図１】
2006058898.tif 000003
【図２】
2006058898.tif 000004
【図３】
2006058898.tif 000005
【図４Ａ】
2006058898.tif 000006
【図４Ｂ】
2006058898.tif 000007
【図５】
2006058898.tif 000008
【図６】
2006058898.tif 000009